(57)【要約】【課題】フックを廃止して部品数を削減できるとともに、フックの緩み防止のための接着工程も廃止でき、安価で、また、品質良く容易に吸込グリルの脱落を防止する。【解決手段】空気調和機本体１側から吸込グリル７の落下を防止する連結具８を紐状部８ａと、紐状部８ａの両端部に張り出して形成され、グリル側連結穴７ｃと本体側連結穴１ｃよりも広い幅に形成した頭部８ｂ，８ｃと、を弾性変形可能な樹脂材料で一体に形成するとともに、一方の頭部８ｂを紐状部８ａ側に傾けて弾性変形させた時に、一方の頭部８ｂと紐状部８ａがなす外形寸法がグリル側連結穴７ｃと本体側連結穴１ｃよりも狭くなるように形成する。【選択図】図３
2008275248.tif 000002
【特許請求の範囲】
【請求項１】
内部に熱交換器と送風機とを有し、前記送風機の回転により吸込口から吸い込んだ室内空気を前記熱交換器で熱交換して吹出口から吹き出す空気調和機本体と、前記吸込口に着脱する吸込グリルと、前記吸込グリルに設けたグリル側連結穴と、前記空気調和機本体側に設けた本体側連結穴と、前記グリル側連結穴と前記本体側連結穴とにそれぞれ連結され、前記空気調和機本体側から前記吸込グリルの落下を防止する連結具と、を備え、前記連結具を前記グリル側連結穴と前記本体側連結穴を通過できる太さの紐状部と、前記紐状部の両端部に張り出して形成され、前記グリル側連結穴と前記本体側連結穴よりも広い幅に形成した頭部と、を弾性変形可能な樹脂材料で一体に形成するとともに、少なくとも一方の前記頭部を前記紐状部側に傾けて弾性変形させた時に、一方の前記頭部と前記紐状部がなす外形寸法が前記グリル側連結穴と前記本体側連結穴よりも狭くなるように形成し、一方の前記頭部を前記紐状部側に傾けて前記グリル側連結穴と前記本体側連結穴を通過させ、前記連結具の両側の前記頭部がそれぞれ前記グリル側連結穴と前記本体側連結穴に連結されるようにしたことを特徴とする空気調和機。
【請求項２】
内部に熱交換器と送風機とを有し、前記送風機の回転により吸込口から吸い込んだ室内空気を前記熱交換器で熱交換して吹出口から吹き出す空気調和機本体と、前記吸込口に着脱する吸込グリルと、前記吸込グリルに設けたグリル側連結穴と、前記空気調和機本体側に設けた本体側連結穴と、前記グリル側連結穴と前記本体側連結穴とにそれぞれ連結され、前記空気調和機本体側から前記吸込グリルの落下を防止する連結具と、を備え、前記連結具を前記グリル側連結穴と前記本体側連結穴を通過できる太さの紐状部と、前記紐状部の両端部に張り出して形成され、それぞれ相対する前記グリル側連結穴と前記本体側連結穴よりも広い幅に形成した頭部と、を弾性変形可能な樹脂材料で一体に形成するとともに、前記頭部をそれぞれ前記紐状部側に傾けて弾性変形させた時に、前記頭部と前記紐状部がなす外形寸法がそれぞれ相対する前記グリル側連結穴と前記本体側連結穴よりも狭くなるように形成し、前記頭部をそれぞれ前記紐状部側に傾けて相対する前記グリル側連結穴と前記本体側連結穴を通過させ、前記連結具の両側の前記頭部がそれぞれ前記グリル側連結穴と前記本体側連結穴に連結されるようにしたことを特徴とする空気調和機。
【請求項３】
前記空気調和機本体が前記吸込グリルを備えた前記吸込口を下面後方に備えるとともに、前記吹出口を前方に有する天井吊込み形であって、前記連結具で前記吸込グリルを前記空気調和機本体側に連結したことを特徴とする請求項１又は請求項２に記載の空気調和機。
【請求項４】
前記空気調和機本体が前記吸込グリルを備えた吸込口を下面中央に備えるとともに、前記吹出口を下面周囲に有する天井埋込形であって、前記連結具で前記吸込グリルを前記空気調和機本体側に連結したことを特徴とする請求項１又は請求項２に記載の空気調和機。
【請求項５】
前記空気調和機本体が前記吸込グリルを備えた吸込口を前面下部に備えるととものに、前記吹出口を前面上部に有する床置形であって、前記連結具で前記吸込グリルを前記空気調和機本体側に連結したことを特徴とする請求項１又は請求項２に記載の空気調和機。
【発明の詳細な説明】
【技術分野】
【０００１】
この発明は、天井吊込み形空気調和機などの空気調和機の吸込グリル脱落防止構造に関するものである。
【背景技術】
【０００２】
従来の空気調和機では天井埋込形空気調和機の吸込グリル脱落防止のため、両端にフックを設けたワイヤで吸込グリルを連結したものがあった。（例えば、特許文献１参照）
【０００３】
【特許文献１】特開平２−２４７４３０号公報（第２頁、図１）
【発明の開示】
【発明が解決しようとする課題】
【０００４】
従来の天井埋込形空気調和機は、吸込グリルメンテナンス時の吸込グリルの脱落防止のためのワイヤや紐の先端に、着脱可能な構造にするため別部品の金属性のフック等の着脱用部品が必要である。また、ワイヤや紐とフックの緩み防止のために接着剤等によって接着する必要があるため、製造コストが高いだけでなく、経年変化で接着部がはげて緩んだり、フックが錆びて着脱が行い難くなる等の課題があった。
【０００５】
この発明は、上記のよう課題を解決するためになされたもので、フックを廃止して部品数を削減できるとともに、フックの緩み防止のための接着剤等による接着工程も廃止でき、安価で、また、品質良く容易に吸込グリルの脱落を防止できる空気調和機を得ることを目的としている。
【課題を解決するための手段】
【０００６】
この発明に係る空気調和機は、内部に熱交換器と送風機とを有し、前記送風機の回転により吸込口から吸い込んだ室内空気を前記熱交換器で熱交換して吹出口から吹き出す空気調和機本体と、前記吸込口に着脱する吸込グリルと、前記吸込グリルに設けたグリル側連結穴と、前記空気調和機本体側に設けた本体側連結穴と、前記グリル側連結穴と前記本体側連結穴とにそれぞれ連結され、前記空気調和機本体側から前記吸込グリルの落下を防止する連結具と、を備え、前記連結具を前記グリル側連結穴と前記本体側連結穴を通過できる太さの紐状部と、前記紐状部の両端部に張り出して形成され、前記グリル側連結穴と前記本体側連結穴よりも広い幅に形成した頭部と、を弾性変形可能な樹脂材料で一体に形成するとともに、少なくとも一方の前記頭部を前記紐状部側に傾けて弾性変形させた時に、一方の前記頭部と前記紐状部がなす外形寸法が前記グリル側連結穴と前記本体側連結穴よりも狭くなるように形成し、一方の前記頭部を前記紐状部側に傾けて前記グリル側連結穴と前記本体側連結穴を通過させ、前記連結具の両側の前記頭部がそれぞれ前記グリル側連結穴と前記本体側連結穴に連結されるようにしたものである。
【０００７】
また、この発明に係る空気調和機は、内部に熱交換器と送風機とを有し、前記送風機の回転により吸込口から吸い込んだ室内空気を前記熱交換器で熱交換して吹出口から吹き出す空気調和機本体と、前記吸込口に着脱する吸込グリルと、前記吸込グリルに設けたグリル側連結穴と、前記空気調和機本体側に設けた本体側連結穴と、前記グリル側連結穴と前記本体側連結穴とにそれぞれ連結され、前記空気調和機本体側から前記吸込グリルの落下を防止する連結具と、を備え、前記連結具を前記グリル側連結穴と前記本体側連結穴を通過できる太さの紐状部と、前記紐状部の両端部に張り出して形成され、それぞれ相対する前記グリル側連結穴と前記本体側連結穴よりも広い幅に形成した頭部と、を弾性変形可能な樹脂材料で一体に形成するとともに、前記頭部をそれぞれ前記紐状部側に傾けて弾性変形させた時に、前記頭部と前記紐状部がなす外形寸法がそれぞれ相対する前記グリル側連結穴と前記本体側連結穴よりも狭くなるように形成し、前記頭部をそれぞれ前記紐状部側に傾けて相対する前記グリル側連結穴と前記本体側連結穴を通過させ、前記連結具の両側の前記頭部がそれぞれ前記グリル側連結穴と前記本体側連結穴に連結されるようにしたものである。
【発明の効果】
【０００８】
この発明に係る空気調和機は、内部に熱交換器と送風機とを有し、前記送風機の回転により吸込口から吸い込んだ室内空気を前記熱交換器で熱交換して吹出口から吹き出す空気調和機本体と、前記吸込口に着脱する吸込グリルと、前記吸込グリルに設けたグリル側連結穴と、前記空気調和機本体側に設けた本体側連結穴と、前記グリル側連結穴と前記本体側連結穴とにそれぞれ連結され、前記空気調和機本体側から前記吸込グリルの落下を防止する連結具と、を備え、前記連結具を前記グリル側連結穴と前記本体側連結穴を通過できる太さの紐状部と、前記紐状部の両端部に張り出して形成され、前記グリル側連結穴と前記本体側連結穴よりも広い幅に形成した頭部と、を弾性変形可能な樹脂材料で一体に形成するとともに、少なくとも一方の前記頭部を前記紐状部側に傾けて弾性変形させた時に、一方の前記頭部と前記紐状部がなす外形寸法が前記グリル側連結穴と前記本体側連結穴よりも狭くなるように形成し、一方の前記頭部を前記紐状部側に傾けて前記グリル側連結穴と前記本体側連結穴を通過させ、前記連結具の両側の前記頭部がそれぞれ前記グリル側連結穴と前記本体側連結穴に連結されるようにしたので、吸込グリルの脱落防止に着脱用部品であるフックが不要となりフックの緩み防止のために必要であった接着剤等による接着工程も廃止し、製造コストの削減と作業環境の改善を図ることができ、安価で、また、品質良く容易に吸込グリルの脱落を防止できる空気調和機を得られるという効果がある。
【０００９】
また、この発明に係る空気調和機は、内部に熱交換器と送風機とを有し、前記送風機の回転により吸込口から吸い込んだ室内空気を前記熱交換器で熱交換して吹出口から吹き出す空気調和機本体と、前記吸込口に着脱する吸込グリルと、前記吸込グリルに設けたグリル側連結穴と、前記空気調和機本体側に設けた本体側連結穴と、前記グリル側連結穴と前記本体側連結穴とにそれぞれ連結され、前記空気調和機本体側から前記吸込グリルの落下を防止する連結具と、を備え、前記連結具を前記グリル側連結穴と前記本体側連結穴を通過できる太さの紐状部と、前記紐状部の両端部に張り出して形成され、それぞれ相対する前記グリル側連結穴と前記本体側連結穴よりも広い幅に形成した頭部と、を弾性変形可能な樹脂材料で一体に形成するとともに、前記頭部をそれぞれ前記紐状部側に傾けて弾性変形させた時に、前記頭部と前記紐状部がなす外形寸法がそれぞれ相対する前記グリル側連結穴と前記本体側連結穴よりも狭くなるように形成し、前記頭部をそれぞれ前記紐状部側に傾けて相対する前記グリル側連結穴と前記本体側連結穴を通過させ、前記連結具の両側の前記頭部がそれぞれ前記グリル側連結穴と前記本体側連結穴に連結されるようにしたので、吸込グリルの脱落防止に着脱用部品であるフックが不要となりフックの緩み防止のために必要であった接着剤等による接着工程も廃止し、製造コストの削減と作業環境の改善を図ることができ、安価で、また、品質良く容易に吸込グリルの脱落を防止できる空気調和機を得られるという効果がある。
【発明を実施するための最良の形態】
【００１０】
実施の形態１．
図１〜図６により説明する。図１はこの発明の実施の形態１における天井吊込み形空気調和機の全体横断面図、図２はこの発明の実施の形態１の天井吊込み形空気調和機の吸込グリルの着脱を説明する空気調和機本体の要部を上下逆さにして示す分解斜視図、図３はこの発明の実施の形態１の連結具による吸込グリルと空気調和機本体側との連結を説明する要部斜視図で、（ａ）はグリル側連結穴へ連結具の頭部を通す説明斜視図、（ｂ）はグリル側連結穴へ連結具を連結させた状態の説明斜視図、（ｃ）は吸込グリル側連結穴へ連結させた連結具をさらに空気調和機本体側の本体側連結穴に連結させる説明斜視図である。図４はこの発明の実施の形態１の連結具を示す図で、（ａ）は正面図、（ｂ）は側面図である。図５はこの発明の実施の形態１の連結具の一方の頭部を吸込グリルのグリル側連結穴に通す際の寸法関係を説明するグリル側連結穴部分を断面で示した連結具の正面図である。図６はこの発明の実施の形態１の連結具を吸込グリルのグリル側連結穴と空気調和機本体側の本体側連結穴に連結させた状態のグリル側連結穴部分と本体側連結穴部分を断面で示す連結具の正面図である。
【００１１】
図１にて空気調和機の一例として天井吊込み形空気調和機の全体構成を説明する。天井吊込み形空気調和機の空気調和機本体１は天井に吊り下げて据え付けられる。空気調和機本体１の内部に設けられ、冷凍サイクル（図示せず）により室内空気を熱交換する左右に広い幅の熱交換器２は、仕切版１ｂで仕切られた前後中央付近から前方部分に渡って設けられ、熱交換面積を広くできるように前方に行くに従って上方に傾斜するように斜めに配置している。そして、室内空気は、後方に配置した送風機３の回転により塵埃等を除去するフィルター６を配置した吸込グリル７が着脱可能に装着された吸込口５より吸い込まれ、熱交換器２にて熱交換され、前方の吹出口４より室内に吹き出される。
【００１２】
次に吸込グリル７の空気調和機本体１への着脱について説明する。吸込口５に着脱する吸込グリル７は、図２では空気調和機本体１の下面後部には１個しか記載していないが、この実施の形態では左右に２個の吸込グリル７を設けている。そして、各吸込グリル７は空気調和機本体１側の後部に形成した左右の取付穴１ａに吸込グリル７の後部左右の係合片７ａを差し込み、吸込グリル７の前部を空気調和機本体に図示しない着脱自在の係止機構で取り付けて、フィルター６の清掃や空気調和機本体１内部のメンテナンスの際に空気調和機本体１側から着脱できるようにしている。
【００１３】
次に吸込グリル７の落下を防止する構成について説明する。吸込グリル７を空気調和機本体１側から取り外す際に、急に外れて手を滑らせて吸込グリル７を落下させてしまうことがないように、吸込グリル７を空気調和機本体１側の吸込口５から外しても、連結具８で吸込グリル７が空気調和機本体１側に連結されているようにしている。そして、連結具８の一端を外すことで、吸込グリル７が空気調和機本体１から離れて取り外しできるようにし、作業者が吸込グリル７を外す際に慌てて落下させるようなことが無いように配慮している。
【００１４】
この連結具８を吸込グリル７側に取り付けて連結するためのグリル側連結穴７ｃが図３に示すように吸込グリル７の後部中央に形成した連結部７ｂに開けられている。また、このグリル側連結穴７ｃに相対し、連結具８を空気調和機本体側１に取り付けるための本体側連結穴１ｃが吸込口５周囲の空気調和機本体１の後部の取付穴１ａの間に開けられている。なお、グリル側連結穴７ｃ及び本体側連結穴１ｃを、この実施の形態では円形の穴を設けるようにしている。
【００１５】
次に、グリル側連結穴７ｃと本体側連結穴１ｃとにそれぞれ連結され、空気調和機本体１から吸込グリル７の落下を防止する連結具８の構成について詳細に説明する。連結具８は、外部から圧力をかけていない状態では図４のような形状をしている。そして、中央部分の細長い直線形状で紐状の紐状部８ａと、その紐状部８ａのそれぞれ両端部には左右に紐状部８ａより張り出した頭部８ｂ，８ｃを樹脂材料により一体に形成している。この成形樹脂材料としては頭部８ｂ，８ｃを紐状部８ａ側に傾けられるように紐状部８ａで曲げて弾性変形させても元の形状に戻るように粘りけがあって弾力性のあるプラスチック材料がよく、例えばポリプロピレンや変性ポリアミドなどのプラスチック材料が適している。
【００１６】
そして、紐状部８ａの周囲の寸法である太さは、図３〜図６に示すようにを本体側連結穴１ｃとグリル側連結穴７ｃを通過できる太さにしている。また、紐状部８ａの両端部に左右に張り出して形成された頭部８ｂ，８ｃは、図３や図４のＡ寸法とＬ１寸法に示すように幅寸法がグリル側連結穴７ｃと本体側連結穴１ｃの径寸法Ｂ寸法よりも広い幅に形成している。そして、この実施の形態では一方の頭部８ｂの紐状部８ａ方向の寸法を比較的に狭い幅にして棒形状に形成し、図３や図５に示すように頭部８ｂを紐状部８ａ側に傾けて作業者が手などどで弾性変形させた時に、頭部８ｂと紐状部８ａがなす外形寸法Ｌ２がグリル側連結穴７ｃと本体側連結穴１ｃの径Ｂ寸法よりも狭くなるように形成し、頭部８ｂを紐状部８ａ側に傾けてグリル側連結穴７ｃと本体側連結穴１ｃを通過させ、その後頭部８ｂの傾きが弾性により元の形状に戻ることで、連結具８の両側の張出し部である頭部８ｂ，８ｃがそれぞれ本体側連結穴１ｃとグリル側連結穴７ｃから外れないようになり、連結されるようにしている。
【００１７】
なお、他方の頭部８ｃは本体側連結穴１ｃやグリル側連結穴７ｃを通過させる必要がないので、一方の頭部８ｂより広く形成し、この他方の頭部８ｃはどのような向きに傾けてもグリル側連結穴７ｃや本体側連結穴１ｃを通り抜けることができない広い寸法形状にしている。また、頭部８ｂ，８ｃの幅寸法（Ｌ１寸法，Ａ寸法）としてはグリル側連結穴７ｃや本体側連結穴１ｃの径寸法Ｂより広ければよいが、通常では外れ難いように頭部８ｂ，８ｃそれぞれの左右幅の一方側がグリル側連結穴７ｃや本体側連結穴１ｃの縁に偏っても他方がグリル側連結穴７ｃや本体側連結穴１ｃより外側になるように幅広く形成すると特によい。つまり、図４（ａ）に示すように紐状部８ａからの頭部８ｂ，８ｃの左右幅の寸法Ｅをグリル側連結穴７ｃや本体側連結穴１ｃの径寸法Ｂより少し以上広く形成するとよい。
このような連結具８部分の寸法の一例を説明すると、グリル側連結穴７ｃと本体側連結穴１ｃの穴径寸法Ｂをφ５ｍｍ、一方の頭部８ｂの張出し寸法である幅寸法Ｌ１を２０ｍｍ、この頭部８ｂの張出し部の太さＨ寸法をφ２ｍｍ、紐状部８ａの太さＤ寸法をφ２ｍｍ、紐状部８ａの長さＦ寸法を５０ｍｍ〜７０ｍｍ程度にし、他方の頭部８ｃの寸法は張出し部である幅寸法Ａを３０ｍｍで前後方向寸法Ｇを１５ｍｍにし厚さＪ寸法を３ｍｍとした例で、連結することができた。
【００１８】
次に、吸込グリル７を連結具８で空気調和機本体１側に連結する作業手順と離脱させる作業手順について図３によりさらに詳しく説明する。まず連結する手順について説明する。上記のように連結具８の一方の頭部８ｂを手などで図３（ａ）や図５に示すようにグリル側連結穴７ｃを通過できるように紐状部８ａ側に撓ませ、つまり、頭部８ｂの幅部分が紐状部８ａの長手方向と同じ方向を向くようにして、図５に示すように頭部８ｂと紐状部８ａによる連結具８の幅寸法Ｌ２がグリル側連結穴７ｃより狭くなるようにし、頭部８ｂの端からグリル側連結穴７ｃを通過させる。そして撓ませていた頭部８ｂが弾性により復元することで、図３（ｂ）に示すようにグリル側連結穴７ｃの径寸法Ｂより広い幅（Ｌ１寸法及びＡ寸法）である一方の頭部８ｂ及び他方の頭部８ｃにより、連結具８がグリル側連結穴７ｃから外れないように連結される。
【００１９】
次に、このように吸込グリル７に連結した連結具８の一方の頭部８ｂをさらに、グリル側連結穴７ｃを通した要領と同様に、図３（ｃ）に示すように紐状部８ａ側に曲げて本体側連結穴１ｃに通し、頭部８ｂの曲がりが戻ることで、頭部８ｂが本体側連結穴１ｃから外れないように連結される。このようにして図６に示すように一方の頭部８ｂが本体側連結穴１ｃに、また、他方の頭部１ｃがグリル側連結穴７ｃに通常では外れないように連結され、吸込グリル７を空気調和機本体１側から外す際に、連結具８で吸込グリル７が空気調和機本体１側に連結されて、いきなり落下するようなことがないようにしている。
【００２０】
そして、吸込グリル７を空気調和機本体１側から完全に取り外す場合は、連結具８の一方の頭部８ｂを本体側連結穴１ｃに通した要領と逆の要領で、頭部８ｂを紐状部８ａ側に曲げ、頭部８ｂと紐状部８ａによる本体側連結穴１ｃの径方向の外形寸法を本体側連結穴１ｃを通り抜けられる寸法まで狭め、頭部８ｂを本体側連結穴１ｃから抜き出すことで容易に頭部８ｂを本体側連結穴１ｃから外して連結具８を空気調和機本体１側から外し、吸込グリル７を空気調和機本体１側から外すことができる。なお、再度吸込グリル７を空気調和機本体１に連結させる場合は、また、頭部８ｂを撓ませて本体側連結穴１ｃに通せばよく、連結具８の弾性により繰り返し吸込グリル７の着脱作業が簡単且つ容易に行なえる。また、連結具８は樹脂部材により一体に形成されているので、非常に安価で品質よく形成できるとともに、吸込グリル７の脱落防止のために従来のような着脱用部品であるフックが不要となりフックの緩み防止のために必要であった接着剤等による接着工程も廃止でき、製造コストの削減と作業環境の改善を図ることができ、安価で、また、品質良く容易に吸込グリルの脱落を防止できる空気調和機を得られるという効果がある。
【００２１】
このように、内部に熱交換器２と送風機３とを有し、送風機３の回転により吸込口５から吸い込んだ室内空気を熱交換器２で熱交換して吹出口４から吹き出す空気調和機本体１と、吸込口５に着脱する吸込グリル７と、吸込グリル７に設けたグリル側連結穴７ｃと、空気調和機本体１側に設けた本体側連結穴１ｃと、グリル側連結穴７ｃと本体側連結穴１ｃとにそれぞれ連結され、空気調和機本体１側から吸込グリル７の落下を防止する連結具８と、を備え、連結具８をグリル側連結穴７ｃと本体側連結穴１ｃを通過できる太さの紐状部８ａと、紐状部８ａの両端部に左右に張り出して形成され、グリル側連結穴７ｃと本体側連結穴１ｃよりも広い幅に形成した頭部８ｂ，８ｃと、を弾性変形可能な樹脂材料で一体に形成するとともに、少なくとも一方の頭部８ｂを紐状部８ａ側に傾けて弾性変形させた時に、一方の頭部８ｂと紐状部８ａがなす外形寸法がグリル側連結穴７ｃと本体側連結穴１ｃよりも狭くなるように形成し、一方の頭部８ｂを紐状部８ａ側に傾けてグリル側連結穴７ｃと本体側連結穴１ｃを通過させ、連結具８の両側の頭部８ｂ，８ｃがそれぞれグリル側連結穴７ｃと本体側連結穴１ｃに連結されるようにしたので、吸込グリル７の脱落防止のために従来のような着脱用部品であるフックが不要となりフックの緩み防止のために必要であった接着剤等による接着工程も廃止でき、製造コストの削減と作業環境の改善を図ることができ、安価で、また、品質良く容易に吸込グリルの脱落を防止できるという効果がある。
【００２２】
なお、上記の例では、グリル側連結穴７ｃと本体側連結穴１ｃを円形で同じ径寸法Ｂとしたものを示したが、上記効果を得られる範囲で形状や寸法が異なってもよい。また、上記の例では、一方の頭部８ｂをグリル側連結穴７ｃを先に通して、その後本体側連結穴１ｃに通し、吸込グリル７を空気調和機本体１から取り外す際に本体側連結穴１ｃで連結具８を取り外し、連結具８が吸込グリル７側に残っているため再度吸込グリル７を空気調和機本体１側に連結する際に、連結方法が特にわかりやすいものを示したが、一方の頭部８ｂを本体側連結穴１ｃ側から通し、後からグリル側連結穴７ｃを通して連結するようにしてもよい。また、上記の例では頭部８ｂと頭部８ｃの張出し方向をどちらも同じ左右方向にしたものを示したが、頭部８ｂと頭部８ｃの張出し方向は紐状部８ａの太さ方向であれば頭部８ｂと頭部８ｃとで張出し方向が異なってもよく、同様の効果を得られる。
【００２３】
次に、この発明の実施の形態１による他の例を説明する。図７はこの発明の実施の形態１による他の例を示す図３（ａ）に相当するグリル側連結穴へ連結具の頭部を通す説明斜視図である。なお、上記の例と同一又は相当部分には同一符号を付し、詳細な説明は省略する。また、記載以外の構造と動作及び効果は上記の例と同じである。上記の例では頭部８ｃが四角形状のものを示したが、この例では頭部８ｃの下部に紐状部８ａ側がすぼまるように傾斜部８ｅを形成している。このようにするとグリル側連結穴７ｃに傾斜部８ｅが嵌り込み頭部８ｃのグリル側連結穴７ｃ内でのがたつきが防止される。
【００２４】
次に、この発明の実施の形態１による別の例を説明する。図８はこの発明の実施の形態１による別の例を示す図４（ａ）に相当する連結具の正面図である。なお、上記の例と同一又は相当部分には同一符号を付し、詳細な説明は省略する。また、記載以外の構造と動作及び効果は上記の例と同じである。上記の例では一方の頭部８ｂがグリル側連結穴７ｃと本体側連結穴１ｃの両方を通すものを示したが、この例では他方の頭部８ｃの形状も一方の頭部８ｂと同様に紐丈部８ａ側に弾性変形させて、グリル側連結穴７ｃまたは本体側連結穴１ｃを通せるようにしてもよい。このように、頭部８ｂ，８ｃと紐状部８ａがなす外形寸法がそれぞれ相対するグリル側連結穴７ｃと本体側連結穴１ｃよりも狭くなるように形成し、頭部８ｂ，８ｃをそれぞれ紐状部８ａ側に傾けて相対するグリル側連結穴７ｃと本体側連結穴１ｃを通過させ、連結具８の両側の頭部８ｂ，８ｃがそれぞれグリル側連結穴７ｃと本体側連結穴１ｃに連結されるようにしたので、上記の例と同様に吸込グリル７の落下防止に従来のように着脱用部品であるフックが不要となりフックの緩み防止のために必要であった接着剤等による接着工程も廃止し、製造コストの削減と作業環境の改善を図ることができ、安価で、また、品質良く容易に吸込グリルの脱落を防止できるという効果がある。また、連結具８を吸込グリル７側でも空気調和機本体１側のどちら側でも着脱できるという効果も得られる。
【００２５】
次に、この発明の実施の形態１によるさらに他の例を説明する。図９はこの発明の実施の形態１のさらに他の例を示す天井埋込形の空気調和機本体の説明斜視図で、（ａ）は空気調和機本体外郭の要部斜視図、（ｂ）は化粧パネルの斜視図である。なお、上記の例と同一又は相当部分には同一符号を付し、詳細な説明は省略する。また、記載以外の構造と動作及び効果は上記の例と同じである。上記の例では空気調和機本体１の例として、天吊込み形の例を示したが、空気調和機本体１が吸込グリル７を備えた吸込口５を下面中央に備えるとともに、吹出口４を下面周囲に有する天井埋込形であって、連結具８で吸込グリル７を空気調和機本体１側に連結するようにしてもよく、上記実施の例と同様の効果を奏する。
【００２６】
次に、この発明の実施の形態１によるさらに別の例を説明する。図１０はこの発明の実施の形態１のさらに別の例を示す床置形の空気調和機本体の説明斜視図で、（ａ）は側面図、（ｂ）は正面図、（ｃ）は下部の説明分解斜視図である。なお、上記の例と同一又は相当部分には同一符号を付し、詳細な説明は省略する。また、記載以外の構造と動作及び効果は上記の例と同じである。上記の例では空気調和機本体１の例として、天井吊込み形及び天井埋込形の例を示したが、空気調和機本体１が吸込グリル７を備えた吸込口５を前面下部に備えるととものに、吹出口４を前面上部に有する床置形であって、連結具８で吸込グリル７を空気調和機本体１側に連結してもよく、上記実施の例と同様の効果を奏する。
【００２７】
上記実施の形態のようにこの発明の空気調和機は、内部に熱交換器と送風機とを有し、前記送風機の回転により吸込口から吸い込んだ室内空気を前記熱交換器で熱交換して吹出口から吹き出す空気調和機本体と、前記吸込口に着脱する吸込グリルと、前記吸込グリルに設けたグリル側連結穴と、前記空気調和機本体側に設けた本体側連結穴と、前記グリル側連結穴と前記本体側連結穴とにそれぞれ連結され、前記空気調和機本体側から前記吸込グリルの落下を防止する連結具と、を備え、前記連結具を前記グリル側連結穴と前記本体側連結穴を通過できる太さの紐状部と、前記紐状部の両端部に張り出して形成され、前記グリル側連結穴と前記本体側連結穴よりも広い幅に形成した頭部と、を弾性変形可能な樹脂材料で一体に形成するとともに、少なくとも一方の前記頭部を前記紐状部側に傾けて弾性変形させた時に、一方の前記頭部と前記紐状部がなす外形寸法が前記グリル側連結穴と前記本体側連結穴よりも狭くなるように形成し、一方の前記頭部を前記紐状部側に傾けて前記グリル側連結穴と前記本体側連結穴を通過させ、前記連結具の両側の前記頭部がそれぞれ前記グリル側連結穴と前記本体側連結穴に連結されるようにしたので、吸込グリルの脱落防止に着脱用部品であるフックが不要となりフックの緩み防止のために必要であった接着剤等による接着工程も廃止し、製造コストの削減と作業環境の改善を図ることができ、安価で、また、品質良く容易に吸込グリルの脱落を防止できる空気調和機を得られるという効果がある。
【００２８】
また、この発明の空気調和機は、内部に熱交換器と送風機とを有し、前記送風機の回転により吸込口から吸い込んだ室内空気を前記熱交換器で熱交換して吹出口から吹き出す空気調和機本体と、前記吸込口に着脱する吸込グリルと、前記吸込グリルに設けたグリル側連結穴と、前記空気調和機本体側に設けた本体側連結穴と、前記グリル側連結穴と前記本体側連結穴とにそれぞれ連結され、前記空気調和機本体側から前記吸込グリルの落下を防止する連結具と、を備え、前記連結具を前記グリル側連結穴と前記本体側連結穴を通過できる太さの紐状部と、前記紐状部の両端部に張り出して形成され、それぞれ相対する前記グリル側連結穴と前記本体側連結穴よりも広い幅に形成した頭部と、を弾性変形可能な樹脂材料で一体に形成するとともに、前記頭部をそれぞれ前記紐状部側に傾けて弾性変形させた時に、前記頭部と前記紐状部がなす外形寸法がそれぞれ相対する前記グリル側連結穴と前記本体側連結穴よりも狭くなるように形成し、前記頭部をそれぞれ前記紐状部側に傾けて相対する前記グリル側連結穴と前記本体側連結穴を通過させ、前記連結具の両側の前記頭部がそれぞれ前記グリル側連結穴と前記本体側連結穴に連結されるようにしたので、吸込グリルの脱落防止に着脱用部品であるフックが不要となりフックの緩み防止のために必要であった接着剤等による接着工程も廃止し、製造コストの削減と作業環境の改善を図ることができ、安価で、また、品質良く容易に吸込グリルの脱落を防止できる空気調和機を得られるという効果がある。
【図面の簡単な説明】
【００２９】
【図１】この発明の実施の形態１における天井吊込み形空気調和機の全体横断面図である。
【図２】この発明の実施の形態１の天井吊込み形空気調和機の吸込グリルの着脱を説明する空気調和機本体の要部を上下逆さにして示す分解斜視図である。
【図３】この発明の実施の形態１の連結具による吸込グリルと空気調和機本体側との連結を説明する要部斜視図で、（ａ）はグリル側連結穴へ連結具の頭部を通す説明斜視図、（ｂ）はグリル側連結穴へ連結具を連結させた状態の説明斜視図、（ｃ）は吸込グリル側連結穴へ連結させた連結具をさらに空気調和機本体側の本体側連結穴に連結させる説明斜視図である。
【図４】この発明の実施の形態１の連結具を示す図で、（ａ）は正面図、（ｂ）は側面図である。
【図５】この発明の実施の形態１の連結具の一方の頭部を吸込グリルのグリル側連結穴に通す際の寸法関係を説明するグリル側連結穴部分を断面で示した連結具の正面図である。
【図６】はこの発明の実施の形態１の連結具を吸込グリルのグリル側連結穴と空気調和機本体側の本体側連結穴に連結させた状態のグリル側連結穴部分と本体側連結穴部分を断面で示す連結具の正面図である。
【図７】この発明の実施の形態１による他の例を示す図３（ａ）に相当するグリル側連結穴へ連結具の頭部を通す説明斜視図である。
【図８】この発明の実施の形態１による別の例を示す図４（ａ）に相当する連結具の正面図である。
【図９】この発明の実施の形態１のさらに他の例を示す天井埋込形の空気調和機本体の説明斜視図で、（ａ）は空気調和機本体外郭の要部斜視図、（ｂ）は化粧パネルの斜視図である。
【図１０】この発明の実施の形態１のさらに別の例を示す床置形の空気調和機本体の説明斜視図で、（ａ）は側面図、（ｂ）は正面図、（ｃ）下部の説明分解斜視図である。
【符号の説明】
【００３０】
１  空気調和機本体、１ａ  取付穴、１ｂ  仕切板、１ｃ  本体側連結穴、２  熱交換器、３  送風機、４  吹出口、５  吸込口、６  フィルター、７  吸込グリル、７ａ  係合片、７ｂ  連結部、７ｃ  グリル側連結穴、８  連結具、８ａ  紐状部、８ｂ  頭部、８ｃ  頭部、８ｅ  傾斜部。
【図１】
2008275248.tif 000003
【図２】
2008275248.tif 000004
【図３】
2008275248.tif 000005
【図４】
2008275248.tif 000006
【図５】
2008275248.tif 000007
【図６】
2008275248.tif 000008
【図７】
2008275248.tif 000009
【図８】
2008275248.tif 000010
【図９】
2008275248.tif 000011
【図１０】
2008275248.tif 000012